(57)【特許請求の範囲】
【請求項１】
電気品を収容した金属製の箱体の外面に設けられた開口部の一縁部に一側が固定され、所定温度になると前記開口部の他縁部側に伸びるように形成された第１形状記憶合金と、
前記第１形状記憶合金よりも前記箱体の外側で前記開口部の一縁部に一側が固定され、所定温度になると前記開口部の他縁部側に伸びるように形成された第２形状記憶合金と、
前記第１形状記憶合金の他側と前記第２形状記憶合金の他側とに跨るように一側が固定された支持体と、
前記支持体の他側に接触した状態を維持するように前記開口部側の一縁部側への力を受けた状態で前記支持体よりも前記開口部の他縁部側に配置され、前記第２形状記憶合金が所定温度となって前記開口部の他縁部側に伸びることにより前記支持体の他側が前記箱体の内側に傾いた際に、前記支持体よりも前記箱体の外側で前記開口部の一縁部側に移動する仕切り体と、
を備えた電気品用箱体の状態判定装置。
【請求項２】
電気品を収容した金属製の箱体の外面に設けられた開口部の一縁部に一側が固定され、所定温度になると前記開口部の一縁部側に縮むように形成された第１形状記憶合金と、
前記第１形状記憶合金よりも前記箱体の外側で前記開口部の一縁部に一側が固定され、所定温度になると前記開口部の一縁部側に縮むように形成された第２形状記憶合金と、
前記第１形状記憶合金の他側と前記第２形状記憶合金の他側とに跨るように一側が固定された支持体と、
前記支持体の他側に接触した状態を維持するように前記開口部側の一縁部側への力を受けた状態で前記支持体よりも前記開口部の他縁部側に配置され、前記第２形状記憶合金が所定温度となって前記開口部の一縁部側に縮むことにより前記支持体の他側が前記箱体の外側に傾いた際に、前記支持体よりも前記箱体の内側で前記開口部の一縁部側に移動する仕切り体と、
を備えた電気品用箱体の状態判定装置。
【請求項３】
前記第１形状記憶合金と前記第２形状記憶合金とは、互いの間に空間が形成されるように配置された請求項１又は請求項２に記載の電気品用箱体の状態判定装置。
【請求項４】
前記仕切り体の外面に設けられた識別体、
を備えた請求項１記載の電気品用箱体の状態判定装置。
【請求項５】
前記識別体は、通常時は前記箱体の外面によって外側から遮蔽され、前記仕切り体が前記支持体よりも前記箱体の外側で前記開口部の一縁部側に移動した際に、前記箱体の外側に露出する請求項４記載の電気品用箱体の状態判定装置。
【請求項６】
前記第１形状記憶合金、前記第２形状記憶合金、前記支持体、前記仕切り体は、前記箱体の各外面に設けられた請求項１〜請求項５のいずれかに記載の電気品用箱体の状態判定装置。
【発明の詳細な説明】
【技術分野】
【０００１】
この発明は、電気品用箱体の状態判定装置に関するものである。
【背景技術】
【０００２】
空調機の室内機や室外機、電気掃除機、電気炊飯器等の樹脂製の外郭を有する電気製品においては、電源基板等の電気品は、金属製の箱体に収容される（例えば、特許文献１参照）。
【先行技術文献】
【特許文献】
【０００３】
【特許文献１】特開平０５−１５７２８７号公報
【０００４】
上記箱体の外側で小規模の火災が発生した場合、箱体内の電気品の焼損状態を観察することで、箱体の外側で火災が発生したと判断することができる。
【発明の概要】
【発明が解決しようとする課題】
【０００５】
しかしながら、箱体の外側で大規模の火災が発生した場合は、箱体内の電気品も激しく焼損する。このため、箱体内の電気品の焼損状態を観察しても、箱体の外側で火災が発生したと判断することができない。
【０００６】
この発明は、上述の課題を解決するためになされたもので、その目的は、箱体の外側で火災が発生したことを確実に判断できる電気品用箱体の状態判定装置を提供することである。
【課題を解決するための手段】
【０００７】
この発明に係る電気品用箱体は、電気品を収容した金属製の箱体の外面に設けられた開口部の一縁部に一側が固定され、所定温度になると前記開口部の他縁部側に伸びるように形成された第１形状記憶合金と、前記第１形状記憶合金よりも前記箱体の外側で前記開口部の一縁部に一側が固定され、所定温度になると前記開口部の他縁部側に伸びるように形成された第２形状記憶合金と、前記第１形状記憶合金の他側と前記第２形状記憶合金の他側とに跨るように一側が固定された支持体と、前記支持体の他側に接触した状態を維持するように前記開口部側の一縁部側への力を受けた状態で前記支持体よりも前記開口部の他縁部側に配置され、前記第２形状記憶合金が所定温度となって前記開口部の他縁部側に伸びることにより前記支持体の他側が前記箱体の内側に傾いた際に、前記支持体よりも前記箱体の外側で前記開口部の一縁部側に移動する仕切り体と、を備えたものである。
【０００８】
この発明に係る電気品用箱体は、電気品を収容した金属製の箱体の外面に設けられた開口部の一縁部に一側が固定され、所定温度になると前記開口部の一縁部側に縮むように形成された第１形状記憶合金と、前記第１形状記憶合金よりも前記箱体の外側で前記開口部の一縁部に一側が固定され、所定温度になると前記開口部の一縁部側に縮むように形成された第２形状記憶合金と、前記第１形状記憶合金の他側と前記第２形状記憶合金の他側とに跨るように一側が固定された支持体と、前記支持体の他側に接触した状態を維持するように前記開口部側の一縁部側への力を受けた状態で前記支持体よりも前記開口部の他縁部側に配置され、前記第２形状記憶合金が所定温度となって前記開口部の一縁部側に縮むことにより前記支持体の他側が前記箱体の外側に傾いた際に、前記支持体よりも前記箱体の内側で前記開口部の一縁部側に移動する仕切り体と、を備えたものである。
【発明の効果】
【０００９】
この発明によれば、箱体の外側で火災が発生したことを確実に判断できる。
【図面の簡単な説明】
【００１０】
【図１】この発明の実施の形態１における電気品用箱体の状態判定装置が利用された電気品用箱体の斜視図である。
【図２】この発明の実施の形態１における電気品用箱体の状態判定装置の縦断面図である。
【図３】この発明の実施の形態１における電気品用箱体の状態判定装置の仕切り板の正面図である。
【図４】この発明の実施の形態１における電気品用箱体の状態判定装置が利用された電気品用箱体の外側で火災が発生した場合の縦断面図である。
【図５】この発明の実施の形態１における電気品用箱体の状態判定装置が利用された電気品用箱体の外側で火災が発生した後の仕切り板の正面図である。
【図６】この発明の実施の形態２における電気品用箱体の状態判定装置の外側で火災が発生した場合の縦断面図である。
【図７】この発明の実施の形態３における電気品用箱体の状態判定装置の縦断面図である。
【図８】この発明の実施の形態４における電気品用箱体の状態判定装置の縦断面図である。
【図９】この発明の実施の形態５における電気品用箱体の状態判定装置の縦断面図である。
【図１０】この発明の実施の形態６における電気品用箱体の状態判定装置が利用された電気品用箱体の斜視図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における電気品用箱体の状態判定装置が利用された電気品用箱体の斜視図である。
【００１３】
図１において、１は電気品である。電気品１は、空調機の室内機や室外機、電気掃除機、電気炊飯器等の樹脂製の外郭を有する電気製品（図示せず）に内蔵される。例えば、電気品１は、電源基板１ａや電気部品１ｂ等からなる。電源基板１ａは、略長方形に形成される。電気部品１ｂは、電源基板１ａに搭載される。
【００１４】
電気品１は、電気製品内部で電気品箱（電気品用箱体）２に収容される。電気品箱２は、略直方体状に形成される。電気品箱２の下部は、底板２ａで形成される。電気品箱２の側面は、側壁２ｂで形成される。電気品箱２の上部は、上蓋２ｃで形成される。
【００１５】
電気品箱２の一側の側壁２ｂには、円形状の挿入口２ｄが形成される。挿入口２ｄには、電気コード３が挿入される。電気コード３の一端は、電源基板１ａの一角部に接続される。電気品箱２の正面側の側壁２ｂの上部一側には、複数の通気口２ｅが形成される。これらの通気口２ｅは、長手方向を水平方向にして鉛直方向に並ぶように形成される。
【００１６】
電気品箱２の他側の側壁２ｂには、開口部２ｆが形成される。開口部２ｆは、長手方向を鉛直方向にして形成される。開口部２ｆを塞ぐように、状態判定装置４が設けられる。
【００１７】
次に、図２を用いて、状態判定装置４を説明する。
図２はこの発明の実施の形態１における電気品用箱体の状態判定装置の縦断面図である。
【００１８】
図２に示すように、状態判定装置４は、第１形状記憶合金４ａ、第２形状記憶合金４ｂ、支持台４ｃ、支持板４ｄ、仕切り板４ｅ、弾性体４ｆを備える。
【００１９】
第１形状記憶合金４ａは、開口部２ｆの下部を塞ぐように配置される。第１形状記憶合金４ａの下縁部は、ねじ、溶接、接着等により、開口部２ｆの下縁部に固定される。第１形状記憶合金４ａは、所定温度（例えば、２００度）以上になると開口部２ｆの上縁部側に伸びるように形成される。
【００２０】
第２形状記憶合金４ｂは、第１形状記憶合金４ａよりも電気品箱２の外側で開口部２ｆの下部を塞ぐように配置される。この際、第２形状記憶合金４ｂは、第１形状記憶合金４ａとの間に空間を形成するように配置される。第２形状記憶合金４ｂの下縁部は、ねじ、溶接、接着等により、開口部２ｆの下縁部に固定される。第２形状記憶合金４ｂは、所定温度（例えば、２００度）以上になると開口部２ｆの上縁部側に伸びるように形成される。
【００２１】
支持台４ｃと支持板４ｄは、一体となって支持体として機能する。支持台４ｃは、例えば、金属で形成される。支持台４ｃの下面は、第１形状記憶合金４ａの上縁部と第２形状記憶合金４ｂの上縁部とに跨るように固定される。支持板４ｄは、例えば、金属で形成される。支持板４ｄの下縁部は、支持台４ｃの上面中央に固定される。その結果、支持板４ｄは、支持台４ｃの上方で開口部２ｆの一部を塞ぐように配置される。
【００２２】
仕切り板４ｅは、例えば、金属で形成される。仕切り板４ｅの下縁部は、支持板４ｄの上縁部に対向する。その結果、仕切り板４ｅは、支持板４ｄの上方で開口部２ｆの上部を塞ぐように配置される。
【００２３】
弾性体４ｆは、例えば、圧縮ばねやねじりコイルばね等からなる。弾性体４ｆは、仕切り板４ｅの上方に配置される。弾性体４ｆは、仕切り板４ｅの下縁部が支持板４ｄの上縁部との接触を維持するように、仕切り板４ｅを下方に付勢する。
【００２４】
次に、図３を用いて、仕切り板４ｅを説明する。
図３はこの発明の実施の形態１における電気品用箱体の状態判定装置の仕切り板の正面図である。
【００２５】
図３において、開口部２ｆの上縁部よりも上方では、仕切り板４ｅの外面の中央に、識別体５が設けられる。識別体５は、略長方形に形成される。識別体５には、「外火」と記載される。通常時において、識別体５は、電気品箱２の外面によって外側から遮蔽される。
【００２６】
次に、図４を用いて、電気品箱２の外側で火災が発生した場合を説明する。
図４はこの発明の実施の形態１における電気品用箱体の状態判定装置が利用された電気品用箱体の外側で火災が発生した場合の縦断面図である。
【００２７】
この場合、電気品箱２の外側から温度が徐々に上昇する。この際、第１形状記憶合金４ａの温度よりも先に第２形状記憶合金４ｂの温度が所定温度に達する。この際、第２形状記憶合金４ｂの上縁部が上方に伸びる。その結果、支持台４ｃは、電気品箱２の内側から外側に行くにつれて上昇するように傾斜する。
【００２８】
当該傾斜により、支持板４ｄは、下側から上側に行くにつれて電気品箱２の内側に傾斜する。当該傾斜により、支持板４ｄの上縁部は、電気品箱２の内側に移動する。当該移動により、支持板４ｄの上縁部は、仕切り板４ｅの下縁部との接触から開放される。当該開放により、仕切り板４ｅは、支持板４ｄよりも電気品箱２の外側で弾性体４ｆからの付勢力により下方に移動する。
【００２９】
次に、図５を用いて、電気品箱２の外側で火災が発生した後の仕切り板４ｅを説明する。
図５はこの発明の実施の形態１における電気品用箱体の状態判定装置が利用された電気品用箱体の外側で火災が発生した後の仕切り板の正面図である。
【００３０】
この場合、仕切り板４ｅの移動に追従して、識別体５は、開口部２ｆの上縁部よりも下方に移動する。すなわち、識別体５は、電気品箱２の外側に露出される。当該露出により、電気品箱２の外側で火災が発生したことが報知される。
【００３１】
以上で説明した実施の形態１によれば、電気品箱２の外側で火災が発生した場合、仕切り板４ｅは、支持板４ｄよりも電気品箱２の外側で開口部２ｆの下縁部側に移動する。これに対し、電気品箱２の内側から温度が上がる場合を仮定すると、仕切り板４ｅは、支持板４ｄよりも電気品箱２の内側で開口部２ｆの下縁部側に移動する。このため、仕切り板４ｅの配置を観察することで、電気品箱２の外側で火災が発生したことを確実に判断できる。
【００３２】
また、第１形状記憶合金４ａと第２形状記憶合金４ｂとの間には、空間が形成される。このため、第１形状記憶合金４ａよりの温度よりも先に第２形状記憶合金４ｂの温度が確実に所定温度に達する。
【００３３】
また、仕切り板４ｅの外面には、識別体５が設けられる。このため、識別体５を視認することで、電気品箱２の外側で火災が発生したことを容易に判断できる。
【００３４】
また、通常時において、識別体５は、電気品箱２の外面によって外側から遮蔽される。このため、通常時における電気品箱２の外観を損なうことはない。
【００３５】
なお、電気品箱２の外面に状態判定装置４を取り付ける際の向きを限定する必要はない。例えば、図２において、状態判定装置４を上下反転して電気品箱２の外面に取り付けてもよい。  
【００３６】
また、金属製の箱体を外郭とした電子レンジ等の電気製品においては、外郭が電気品用
箱体としても機能する。この場合、当該箱体に状態判定装置４を設ければ、電気製品の外側で火災が発生したことを確実に判断できる。
【００３７】
実施の形態２．
図６はこの発明の実施の形態２における電気品用箱体の状態判定装置の外側で火災が発生した場合の縦断面図である。なお、実施の形態１と同一又は相当部分には同一符号を付して説明を省略する。
【００３８】
実施の形態１の第１形状記憶合金４ａ及び第２形状記憶合金４ｂは、所定温度になると伸びるように形成されていた。これに対し、実施の形態２の第１形状記憶合金４ａ及び第２形状記憶合金４ｂは、所定温度になると縮むように形成されている。
【００３９】
実施の形態２においては、電気品箱２の外側で火災が発生すると、第１形状記憶合金４ａの温度よりも先に第２形状記憶合金４ｂの温度が所定温度に達する。この際、第２形状記憶合金４ｂの上縁部が下方に縮む。その結果、支持台４ｃは、電気品箱２の外側から内側に行くにつれて上昇するように傾斜する。
【００４０】
当該傾斜により、支持板４ｄは、下側から上側に行くにつれて電気品箱２の外側に傾斜する。当該傾斜により、支持板４ｄの上縁部は、電気品箱２の外側に移動する。当該移動により、支持板４ｄの上縁部は、仕切り板４ｅの下縁部との接触から開放される。当該開放により、仕切り板４ｅは、支持板４ｄよりも電気品箱２の内側で弾性体４ｆからの付勢力により下方に移動する。
【００４１】
以上で説明した実施の形態２によれば、電気品箱２の外側で火災が発生した場合、仕切り板４ｅは、支持板４ｄよりも電気品箱２の内側で開口部２ｆの下縁部側に移動する。これに対し、電気品箱２の内側から温度が上がる場合を仮定すると、仕切り板４ｅは、支持板４ｄよりも電気品箱２の外側で開口部２ｆの下縁部側に移動する。このため、仕切り板４ｅの配置を観察することで、電気品箱２の外側で火災が発生したことを確実に判断できる。
【００４２】
実施の形態３．
図７はこの発明の実施の形態３における電気品用箱体の状態判定装置の縦断面図である。なお、実施の形態１と同一又は相当部分には同一符号を付して説明を省略する。
【００４３】
実施の形態３の状態判定装置４は、実施の形態１の状態判定装置４にガイド体６を付加したものである。ガイド体６は、電気品箱２の外面とで仕切り板４ｅを挟み込むように配置される。
【００４４】
実施の形態３においては、電気品箱２の外側で火災が発生した場合、仕切り板４ｅは、ガイド体６と電気品箱２の外面とに水平方向の移動を抑制される。当該抑制により、仕切り板４ｅは、鉛直方向に下降する。
【００４５】
以上で説明した実施の形態３によれば、電気品箱２の外側で火災が発生した際に、仕切り板４ｅを確実に鉛直方向に下降させることができる。
【００４６】
実施の形態４．
図８はこの発明の実施の形態４における電気品用箱体の状態判定装置の縦断面図である。なお、実施の形態１と同一又は相当部分には同一符号を付して説明を省略する。
【００４７】
実施の形態４の状態判定装置４は、実施の形態１の状態判定装置４の仕切り板４ｅの下縁部を曲面にしたものである。当該曲面は、下側に凸となるように形成される。
【００４８】
以上で説明した実施の形態４によれば、支持板４ｄの上縁部が電気品箱２の内側に移動する際、支持板４ｄと仕切り板４ｅとの間の摩擦力が小さくなる。このため、支持板４ｄの上縁部を仕切り板４ｅの下縁部との接触から円滑に開放することができる。
【００４９】
なお、支持板４ｄの上縁部を上側に凸となる曲面とし、仕切り板４ｅの下縁部を平面としてもよい。この場合も、支持板４ｄの上縁部を仕切り板４ｅの下縁部との接触から円滑に開放することができる。
【００５０】
実施の形態５．
図９はこの発明の実施の形態５における電気品用箱体の状態判定装置の縦断面図である。なお、実施の形態３と同一又は相当部分には同一符号を付して説明を省略する。
【００５１】
実施の形態５の状態判定装置４は、実施の形態３の状態判定装置４から弾性体４ｆを削除したものである。
【００５２】
実施の形態５においては、電気品箱２の外側で火災が発生した場合、仕切り板４ｅは、自重により鉛直方向に下降する。この際、仕切り板４ｅは、ガイド体６と電気品箱２の外面とに水平方向の移動を抑制される。当該抑制により、仕切り板４ｅは、鉛直方向に下降する。
【００５３】
以上で説明した実施の形態５によれば、弾性体４ｆを用いることなく、電気品箱２の外側で火災が発生したことを確実に判断できる。
【００５４】
実施の形態６．
図１０はこの発明の実施の形態６における電気品用箱体の状態判定装置が利用された電気品用箱体の斜視図である。なお、実施の形態１と同一又は相当部分には同一符号を付して説明を省略する。
【００５５】
実施の形態１においては、電気品箱２の他側の側壁２ｂのみに状態判定装置４が設けられていた。これに対し、実施の形態６においては、電気品箱２の正面側の側壁２ｂにも、状態判定装置４が設けられている。
【００５６】
実施の形態６においては、電気品箱２の他側の外側で火災が発生した場合は、他側の側壁２ｂに設けられた状態判定装置４が確実に動作する。電気品箱２の正面側の外側で火災が発生した場合は、正面側の側壁２ｂに設けられた状態判定装置４が確実に動作する。
【００５７】
以上で説明した実施の形態６によれば、電気品箱２の正面側の外側の火災が発生したことも確実に判断できる。
【００５８】
なお、電気品箱２の一側の側壁２ｂや上蓋２ｃ等、電気品箱２の各外面に状態判定装置４を設けてもよい。この場合、電気品箱２に対し、各方面からの火災を確実に判断できる。このため、火災の判定精度を向上することができる。
【符号の説明】
【００５９】
１  電気品
１ａ  電源基板
１ｂ  電気部品
２  電気品箱
２ａ  底板
２ｂ  側壁
２ｃ  上蓋
２ｄ  挿入口
２ｅ  通気口
２ｆ  開口部
３  電源コード
４  状態判定装置
４ａ  第１形状記憶合金
４ｂ  第２形状記憶合金
４ｃ  支持台
４ｄ  支持板
４ｅ  仕切り板
４ｆ  弾性体
５  識別体
６  ガイド体
【図１】
0005418585.tif 000002
【図２】
0005418585.tif 000003
【図３】
0005418585.tif 000004
【図４】
0005418585.tif 000005
【図５】
0005418585.tif 000006
【図６】
0005418585.tif 000007
【図７】
0005418585.tif 000008
【図８】
0005418585.tif 000009
【図９】
0005418585.tif 000010
【図１０】
0005418585.tif 000011